(57)【要約】【課題】  ハンディタイプのマルチファンクション端末が増加したときに、たとえば、電源コードを持たずに、ＵＳＢケーブルのみ持参するケースにおいても、ＭＦＰ装置の用途が広がり、また、ＭＦＰ装置が使い易いマルチファンクション装置を提供することを目的とするものである。【解決手段】  複数の用途に使用可能なマルチファンクション装置において、ＵＳＢインタフェースとＰＣとの接続を検出する手段と、電源ラインへの接続を検出する手段と、上記ＵＳＢインタフェースと上記ＰＣとの接続検出状態と、ＡＣ電源ラインへの接続検出状態とに応じて、動作可能な機能を選択する制御手段とを有するマルチファンクション装置である。【選択図】  図１
2005277509.tif 000002
【特許請求の範囲】
【請求項１】
複数の用途に使用可能なマルチファンクション装置において、
ＵＳＢインタフェースとＰＣとの接続を検出する手段と；
電源ラインへの接続を検出する手段と；
上記ＵＳＢインタフェースと上記ＰＣとの接続検出状態と、ＡＣ電源ラインへの接続検出状態とに応じて、動作可能な機能を選択する制御手段と；
を有することを特徴とするマルチファンクション装置。
【請求項２】
請求項１において、
上記ＵＳＢインタフェースと上記ＰＣとが接続状態であり、上記マルチファンクション装置が上記ＡＣ電源ラインに接続されていれば、上記マルチファンクション装置における全ての機能を動作可能とすることを特徴とするマルチファンクション装置。
【請求項３】
請求項１または請求項２において、
上記ＵＳＢインタフェースと上記ＰＣとが接続状態であり、上記マルチファンクション装置が上記ＡＣ電源ラインへ非接続状態であれば、上記マルチファンクション装置における特定機能を動作可能とすることを特徴とするマルチファンクション装置。
【請求項４】
請求項３において、
上記ＵＳＢインタフェースと上記ＰＣとが接続状態であり、上記マルチファンクション装置が上記ＡＣ電源ラインへ非接続状態であれば、上記特定機能以外の機能を動作させないことを特徴とするマルチファンクション装置。
【請求項５】
請求項１〜請求項４のいずれか１項において、
上記動作可能な機能は、コピー機能、スキャナ機能、プリント機能のうちの少なくとも１つの機能であることを特徴とするマルチファンクション装置。
【請求項６】
請求項１〜請求項４のいずれか１項において、
上記動作可能な機能は、コピー機能、スキャナ機能、プリント機能、ファクシミリ機能のうちの少なくとも１つの機能であることを特徴とするマルチファンクション装置。
【請求項７】
請求項３において、
上記特定機能は、スキャナ機能であることを特徴とするマルチファンクション装置。
【請求項８】
複数の動作モードを有するマルチファンクション端末において、
上記マルチファンクション端末へ電力を供給し、上記マルチファンクション端末に設けられている本体電源と；
上記マルチファンクション端末の外から、電力の供給を受けるためのインタフェース手段と；
上記インタフェース手段を経由して電力の供給を受けていることを検出する端末外電力供給検出手段と；
上記本体電源から供給される電力と、上記インタフェース手段を介して上記マルチファンクション端末の外から供給される電力とを切換える電力切換手段と；
公衆回線に発信する発信制御手段と；
上記端末外電力供給検出手段が、上記インタフェース手段を介して上記マルチファンクション端末の外から供給されている電力を検出し、上記本体電源から供給されている電力を検出していない場合、上記インタフェース手段を介して上記マルチファンクション端末の外から公衆回線に発信する上記発信制御手段へ電力を供給するように、上記電力切換手段を制御する制御手段と；
を有することを特徴とするマルチファンクション端末。
【請求項９】
請求項８において、
上記インタフェース手段は、ＵＳＢまたはＩＥＥＥ１３９４であることを特徴とするマルチファンクション端末。
【請求項１０】
請求項８において
上記公衆回線の発呼手段は、アナログ回線、ＩＳＤＮ、ＡＤＳＬ、インターネットに発呼可能である手段であることを特徴とするマルチファンクション端末。
【請求項１１】
複数の用途に使用可能なマルチファンクション装置の制御方法において、
ＵＳＢインタフェースとＰＣとの接続を検出する段階と；
電源ラインへの接続を検出する段階と；
上記ＵＳＢインタフェースと上記ＰＣとの接続検出状態と、ＡＣ電源ラインへの接続検出状態とに応じて、動作可能な機能を選択する制御段階と；
を有することを特徴とするマルチファンクション装置の制御方法。
【請求項１２】
請求項１１において、
上記ＵＳＢインタフェースと上記ＰＣとが接続状態であり、上記マルチファンクション装置が上記ＡＣ電源ラインに接続されていれば、上記マルチファンクション装置における全ての機能を動作可能とすることを特徴とするマルチファンクション装置の制御方法。
【請求項１３】
請求項１１または請求項１２において、
上記ＵＳＢインタフェースと上記ＰＣとが接続状態であり、上記マルチファンクション装置が上記ＡＣ電源ラインへ非接続状態であれば、上記マルチファンクション装置における特定機能を動作可能とすることを特徴とするマルチファンクション装置の制御方法。
【請求項１４】
請求項１３において、
上記ＵＳＢインタフェースと上記ＰＣとが接続状態であり、上記マルチファンクション装置が上記ＡＣ電源ラインへ非接続状態であれば、上記特定機能以外の機能を動作させないことを特徴とするマルチファンクション装置の制御方法。
【請求項１５】
請求項１１〜請求項１４のいずれか１項において、
上記動作可能な機能は、コピー機能、スキャナ機能、プリント機能のうちの少なくとも１つの機能であることを特徴とするマルチファンクション装置の制御方法。
【請求項１６】
請求項１１〜請求項１４のいずれか１項において、
上記動作可能な機能は、コピー機能、スキャナ機能、プリント機能、ファクシミリ機能のうちの少なくとも１つの機能であることを特徴とするマルチファンクション装置の制御方法。
【請求項１７】
請求項１３において、
上記特定機能は、スキャナ機能であることを特徴とするマルチファンクション装置の制御方法。
【請求項１８】
複数の動作モードを有するマルチファンクション端末の制御方法において、
上記マルチファンクション端末に設けられている本体電源が、上記マルチファンクション端末へ電力を供給する段階と；
上記マルチファンクション端末の外から、インタフェース手段が電力の供給を受ける段階と；
上記インタフェース手段を経由して電力の供給を受けていることを検出する端末外電力供給検出段階と；
上記本体電源から供給される電力と、上記インタフェース手段を介して上記マルチファンクション端末の外から供給される電力とを切換える電力切換段階と；
発信制御手段が、公衆回線に発信する発信制御段階と；
上記端末外電力供給検出段階で、上記インタフェース手段を介して上記マルチファンクション端末の外から供給されている電力を検出し、上記本体電源から供給されている電力を検出していない場合、上記インタフェース手段を介して上記マルチファンクション端末の外から公衆回線に発信する上記発信制御手段へ電力を供給するように、上記電力切換手段を制御する制御手段と；
を有することを特徴とするマルチファンクション端末の制御方法。
【請求項１９】
請求項１８において、
上記インタフェース手段は、ＵＳＢまたはＩＥＥＥ１３９４であることを特徴とするマルチファンクション端末の制御方法。
【請求項２０】
請求項１８において
上記公衆回線の発呼手段は、アナログ回線、ＩＳＤＮ、ＡＤＳＬ、インターネットに発呼可能である手段であることを特徴とするマルチファンクション端末の制御方法。
【発明の詳細な説明】
【技術分野】
【０００１】
本発明は、マルチファンクション装置、特に、ＵＳＢインタフェースを有するマルチファンクション装置およびその制御方法に関する。
【背景技術】
【０００２】
従来のＵＳＢインタフェースを具備するマルチファンクション装置（ＭＦＰ装置）は、ＡＣ電源ラインにＡＣ電源が接続され、動作する。
【０００３】
すなわち、マルチファンクションの機能として、コピー機能、スキャナ機能、プリント機能、ファクシミリ機能がメジャーであり、これらの機能は、全てＡＣ電源ラインから電源供給を受け、ＡＣ電源が供給されていないと動作しない。
【０００４】
省電力状態での動作として、電話回線から電源を供給し、ファクシミリ受信し、受信した画像をプリントせずに、メモリへ格納する装置が知られている（たとえば、特許文献１参照。）。
【特許文献１】特開２００３−１１８２０４号公報
【発明の開示】
【発明が解決しようとする課題】
【０００５】
しかし、ＵＳＢインタフェースの規格では、ホスト側からペリフェラル側に、５Ｖで最大５００ｍＡの電力を供給することができる。上記従来例においては、ＵＳＢインタフェースが接続され、ＰＣから、５Ｖ、５００ｍＡの電力が供給されても、いかなる動作もしていない。
【０００６】
今後、ＭＦＰ装置の小型化に伴い、ハンディタイプのマルチファンクション端末が増加したときに、たとえば、電源コードを持っていかず、ＵＳＢケーブルのみ持参するケースが想定される。
【０００７】
ここでは、ＡＣ電源が供給されていなくても、ＵＳＢインタフェースが接続され、ＵＳＢインタフェースを介して、ＰＣから供給される電圧で動作できる場合、この動作を有効にするものである。
【０００８】
これによって、ユーザは、たとえば、ＵＳＢインタフェースを介して、ＰＣに接続するだけで、スキャナ動作を使用することができる。
【０００９】
しかし、ハンディタイプのマルチファンクション端末が増加したときに、たとえば、電源コードを持たなければ、ＭＦＰ装置を使用することができず、また、ＭＦＰ装置を使い難いという問題がある。
【００１０】
本発明は、ハンディタイプのマルチファンクション端末が増加したときに、たとえば、電源コードを持たずに、ＵＳＢケーブルのみ持参するケースにおいても、ＭＦＰ装置の用途が広がり、また、ＭＦＰ装置が使い易いマルチファンクション装置およびその制御方法を提供することを目的とするものである。
【課題を解決するための手段】
【００１１】
本発明は、複数の用途に使用可能なマルチファンクション装置において、ＵＳＢインタフェースとＰＣとの接続を検出する手段と、電源ラインへの接続を検出する手段と、上記ＵＳＢインタフェースと上記ＰＣとの接続検出状態と、ＡＣ電源ラインへの接続検出状態とに応じて、動作可能な機能を選択する制御手段とを有するマルチファンクション装置である。
【発明の効果】
【００１２】
本発明によれば、ＡＣ電源ラインがＡＣ電源に接続されている状態では、マルチファンクション装置における全機能を動作可能とし、ＡＣ電源ラインがＡＣ電源に非接続状態でも、ＵＳＢインタフェースがＰＣに接続されていれば、ＰＣから供給される５Ｖ、５００ｍＡの電力を使用し、所定の動作が可能になり、マルチファンクション装置の小型化に伴い、ハンディタイプのマルチファンクション端末が増加したときに、たとえば、電源コードを持たずに、ＵＳＢケーブルのみ持参するケースにおいても、マルチファンクション装置の用途が広がり、また、ＭＦＰ装置が使い易いという効果を奏する。
【発明を実施するための最良の形態】
【００１３】
発明を実施するための最良の形態は、次の実施例である。
【実施例１】
【００１４】
図１は、本発明の実施例１であるファクシミリ装置ＦＳ１を示すブロック図である。
【００１５】
ファクシミリ装置ＦＳ１は、ＮＣＵ（網制御装置）２と、ハイブリッド回路６と、変復調器８と、発呼回路１０と、加算回路１２と、カラー読み取り可能な読取回路１４と、カラー記録可能な記録回路１６と、メモリ回路１８と、操作部２０と、ＣＰＵ（中央処理装置）２２と、ＲＯＭ２４と、ＵＳＢインタフェース２８と、ＰＳＵ（電源）３０と、スイッチ３２とを有する。
【００１６】
ＮＣＵ（網制御装置）２は、電話網をデータ通信等に使用するために、その回線の端末に接続し、電話交換網の接続制御を行い、データ通信路への切り換えを行い、ループの保持を行うものである。また、ＮＣＵ２は、バス２６からの制御によって、電話回線２ａを電話機側に接続（ＣＭＬオフ）し、電話回線２ａをファクシミリ装置ＦＳ１側に接続（ＣＭＬオン）するものである。なお、通常状態では、電話回線２ａは、電話機４側に接続されている。
【００１７】
ハイブリッド回路６は、送信系の信号と受信系の信号とを分離し、加算回路１２からの送信信号をＮＣＵ２経由で電話回線２ａに送出し、ＮＣＵ２経由で、相手側からの信号を受け取り、信号線６ａ経由で、変復調器８に送るものである。
【００１８】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調と復調とを行う変復調器であり、バス２６の制御によって、各伝送モードが指定される。変復調器８は、バス２６からの送信信号を入力し、変調データを信号線８ａに出力し、信号線６ａに出力されている受信信号を入力し、復調データをバス２６に出力する。
【００１９】
発呼回路１０は、バス２６からの信号によって、電話番号情報を入力し、信号線１０ａに、ＤＴＭＦの選択信号を出力する。
【００２０】
加算回路１２は、信号線８ａの情報と信号線１０ａの情報とを入力し、加算した結果を信号線１２ａに出力する。
【００２１】
カラー読み取り可能な読取回路１４は、読み取りデータをバス２６に出力する。
【００２２】
カラー記録可能な記録回路１６は、バス２６に出力されている情報を、順次１ライン毎に記録する。
【００２３】
メモリ回路１８は、ワーク用のメモリ（ＲＡＭ）であり、読み取りデータの生情報、符号化した情報を格納し、また、バス２６を介して、受信情報、復号化した情報等を格納する。
【００２４】
操作部２０は、ワンタッチダイヤル、短縮ダイヤル、テンキー、＊キー、＃キー、スタートキー、ストップキー、セットキー、スキャンキー、その他のファンクションキーを有し、押下されたキー情報は、バス２６に出力される。操作部２０には、表示部が設けられ、バス２６に出力されている情報を入力し、表示する。
【００２５】
ＣＰＵ（中央処理装置）２２は、ファクシミリ装置ＦＳ１全体の制御をし、ファクシミリ伝送制御手順を実行し、その制御プログラムは、ＲＯＭ２４に格納されている。
【００２６】
ＵＳＢインタフェース２８は、信号線２８ｂのＵＳＢを介して、外部接続されたＰＣ３６と接続される。ＰＣ側のＵＳＢは、ホストであり、５Ｖの電源を５００ｍＡまで供給する。ＡＣ電源が供給されていない状態で、ＵＳＢインタフェース接続がある場合、この電源を供給を受け、ＵＳＢインタフェース２８は、読取回路１４、ＣＰＵ２２、ＲＯＭ２４、操作部２０に５Ｖの電圧を供給する。
【００２７】
ＰＳＵ（電源）３０は、３．３Ｖ、５Ｖ、１２Ｖ、２４Ｖを各ブロックに供給する。ここで、スイッチ３２は、ＡＣ電源をオンオフするスイッチであり、３４はＡＣ電源コードである。
【００２８】
ＲＯＭ２４は、複数の用途に使用可能なマルチファンクション装置において、ＵＳＢインタフェース、ＵＳＢインタフェースとＰＣとの接続を検出する手段、電源ラインへの接続を検出する手段を有し、ＵＳＢインタフェースとＰＣとの接続検出状態、ＡＣ電源ラインへの接続検出状態によって、動作可能な機能を変更する。
【００２９】
ここで、ＵＳＢインタフェースとＰＣとが接続状態であり、ファクシミリ装置ＦＳ１がＡＣ電源ラインへも接続状態であれば、ファクシミリ装置ＦＳ１における全ての機能を動作可能とする。また、ＵＳＢインタフェースとＰＣとが接続状態であり、ファクシミリ装置ＦＳ１がＡＣ電源ラインへ非接続状態であれば、特定機能を動作可能とし、特定機能以外の機能は、動作しない。
【００３０】
具体的には、動作可能な機能は、コピー機能、スキャナ機能、プリント機能、ファクシミリ機能であり、特定機能は、スキャナ機能である。
【００３１】
以上の制御プログラムが、ＲＯＭ２４に格納されている。
【００３２】
次に、上記実施例の動作に付いて説明する。
【００３３】
図２、図３、図４は、上記実施例の動作を示すフローチャートである。
【００３４】
Ｓ２では、バス２６を介して、ＮＣＵ２のＣＭＬをオフする。Ｓ４では、ＡＣ電源に接続されているか否かを判断し、ＡＣ電源に接続されていれば、Ｓ６に進み、ＡＣ電源に接続されていなければ、Ｓ４６に進む。
【００３５】
Ｓ４でＡＣ電源に接続されていれば、ＰＣのＵＳＢからの電源を、ファクシミリ装置ＦＳ１に供給しないことが重要である。
【００３６】
Ｓ６では、バス２６を介して、メモリ１８をイニシャライズし、Ｓ８では、バス２６を介して、操作部の表示部をクリアする。
【００３７】
Ｓ１０では、操作部の情報を入力し、コピー動作が選択されたか否かを判断し、コピー動作が選択されていれば、Ｓ１２に進み、セットされた原稿情報を読み取り、プリントし、コピーを実行し、コピー動作が選択されていなければ、Ｓ１４に進む。
【００３８】
Ｓ１４では、操作部の情報を入力し、ファクシミリ送信が選択されたか否かを判断し、ファクシミリ送信が選択されていれば、Ｓ１６に進み、ファクシミリ送信が選択されていなければ、Ｓ２６に進む。Ｓ１６では、バス２６を介して、ＮＣＵ２のＣＭＬをオンする。Ｓ１８では、バス２６を介して発呼回路が、指定された宛先へ発呼する。Ｓ２０では、前手順を実行し、Ｓ２２では、画信号を読み取り、送信し、Ｓ２４では、後手順を実行する。
【００３９】
Ｓ２６では、ファクシミリ受信が選択されたか否かを判断し、ファクシミリ受信が選択されていれば、Ｓ２８に進み、ファクシミリ受信が選択されていなければ、Ｓ３６に進む。Ｓ２８では、バス２６を介して、ＮＣＵ２のＣＭＬをオンし、Ｓ３０では、前手順を実行し、Ｓ３２では、画信号を受信し、記録し、Ｓ３４では、後手順を実行する。
【００４０】
Ｓ３６では、ＵＳＢ接続があるか否かを判断し、ＵＳＢ接続があれば、Ｓ３８に進み、ＵＳＢ接続がなければ、Ｓ２に進む。
【００４１】
Ｓ３６で、ＵＳＢ接続があれば、ＰＣ３６のＵＳＢからの電源を、ファクシミリ装置ＦＳ１に供給しないことが重要である。Ｓ３８では、操作部の情報を入力し、ＵＳＢプリンタが選択されたか否かを判断し、ＵＳＢプリンタが選択されていれば、Ｓ４０に進み、ＵＳＢを介して、ＰＣ３６からのデータを入力し、プリントし、ＵＳＢプリンタが選択されていなければ、Ｓ４２に進む。
【００４２】
Ｓ４２では、ＵＳＢインタフェースからの情報を入力し、スキャンが選択されたか否かを判断し、スキャンが選択されていれば、Ｓ４４に進み、カラー読み取り情報を、生データのままディジタル多値化し、ＰＣ３６へアップロードし、スキャンが選択されていなければ、Ｓ２に進む。
【００４３】
Ｓ４６では、ＵＳＢ接続があるか否かを判断し、ＵＳＢ接続があれば、Ｓ４８に進み、ＵＳＢ接続がなければ、Ｓ２に進む。Ｓ４８では、ＰＣ３６のＵＳＢからの電源（５ＶＵ）を、装置のブロック１４、２２、２４、２０に供給する。Ｓ５０では、ＵＳＢインタフェースからの情報を入力し、スキャンが選択されたか否かを判断し、スキャンが選択されていれば、Ｓ５２に進み、カラー読み取り情報を、生データのままディジタル多値化し、ＰＣ３６へアップロードし（ここでは、ＰＣ３６からのＵＳＢからの電源（５ＶＵ）を使用し）、スキャンが選択されていなければ、Ｓ２に進む。
【実施例２】
【００４４】
本発明の実施例２は、実施例１のファクシミリ装置ＦＳ１（マルチファンクション装置）において、動作可能な機能が、コピー機能、スキャナ機能、プリント機能、ファクシミリ機能の少なくとも１つの機能であるマルチファンクション装置である。
【００４５】
第１の本発明によれば、複数の用途に使用可能なマルチファンクション装置において、ＵＳＢインタフェースとＰＣ３６との接続を検出する手段、電源ラインへの接続を検出する手段を有し、ＵＳＢインタフェースとＰＣ３６との接続検出状態、ＡＣ電源ラインへの接続検出状態によって、動作可能な機能を変更することが可能になった。
【００４６】
第２の本発明によれば、第１の本発明のマルチファンクション装置において、ＵＳＢインタフェースとＰＣ３６とが接続状態であり、ＡＣ電源ラインへ接続状態であれば、全ての機能を動作可能とすることが可能になった。
【００４７】
第３の本発明によれば、第１、２の本発明のマルチファンクション装置において、ＵＳＢインタフェースとＰＣ３６とが接続状態であり、ＡＣ電源ラインへ非接続状態であれば、特定機能を動作可能とすることが可能になった。
【００４８】
第４の本発明によれば、第３の本発明のマルチファンクション装置において、ＵＳＢインタフェースとＰＣ３６とが接続状態であり、ＡＣ電源ラインへ非接続状態であれば、特定機能以外の機能は、動作しないことが可能になった。
【００４９】
これらによって、ＡＣ電源ラインがＡＣ電源に接続状態では、全機能を動作可能として、ＡＣ電源ラインがＡＣ電源に非接続状態でも、ＵＳＢインタフェースがＰＣ３６に接続されていれば、ＰＣ３６から供給される５Ｖ、５００ｍＡの電力を使用し、可能な動作を行うことができるようになり、ＭＦＰ装置の小型化に伴い、ハンディタイプのマルチファンクション端末が増加したときに、たとえば、電源コードは持っていかず、ＵＳＢケーブルのみ持参するケースにおいて、使用用途が広がり使い易い。
【００５０】
第５の本発明によれば、第１、２、３、４の本発明のマルチファンクション装置において、動作可能な機能として、コピー機能、スキャナ機能、プリント機能とすることが可能になった。
【００５１】
第６の本発明によれば、第１、２、３、４の本発明のマルチファンクション装置において、動作可能な機能ｓｏｆｔｌｉｎｅとして、コピー機能、スキャナ機能、プリント機能ファクシミリ手段とすることが可能になった。
【００５２】
第７の本発明によれば、第１、２、３、４、５、６の本発明のマルチファンクション装置において、特定機能として、スキャナ手段とすることが可能になった。
【００５３】
これらによって、ＡＣ電源ラインがＡＣ電源に接続状態では、全機能を動作可能とし、ＡＣ電源ラインがＡＣ電源に非接続状態でも、ＵＳＢインタフェースがＰＣ３６に接続されていれば、ＰＣ３６から供給される５Ｖ、５００ｍＡの電力を使用して、動作可能な動作ができるようになり、ＭＦＰ装置の小型化に伴い、ハンディタイプのマルチファンクション端末が増加したときに、たとえば、電源コードは持っていかず、ＵＳＢケーブルのみ持参するケースにおいて。使用用途が広がりとても使い易い。そして、これらの発明によって、ユーザは、たとえば、ＵＳＢインタフェースを介して、ＰＣ３６に接続するだけで、スキャナを使用することができ、使い易い。
【００５４】
ところで、特開２０００−１３４３５５号公報には、ＩＳＤＮ回線用の音声通話機能を備えた通信端末装置が記載され、この従来例では、停電時に上記音声通話機能の通話動作に必要な回路に、局給電に基づく電力を供給するＤＣ変換手段を設け、停電時に、上記音声通話機能の動作に必要な回路に、局給電に基づく電力を供給し、停電時に、音声通話機能に不必要な回路の消費電力を抑制し、局給電による制限された消費電力以下で、上記音声通話機能を実現している。
【００５５】
また、特開平９−９８２１３号公報には、筐体内に、停電用電源（二次電池）と、停電によって電源供給が無いことが検出された場合、直流電源回路から停電用電源に切り替え、停電復帰後に、直流電源回路に戻すように制御する電源制御部とを備え、商用電源が停電であっても、正常に留守番電話機機能を実現する点が記載されている。
【００５６】
しかし、特開２０００−１３４３５５号公報に記載されている従来の通信端末においては、局給電による電力に基づいて、通話動作を確保するための電圧に降圧安定化するために、ＤＣ／ＤＣコンバータを必要とし、筐体の小型化が難しいという問題がある。
【００５７】
また、電話機能を実現する回路以外のＤＣ／ＤＣコンバータを必要とする回路が複雑になるとともに、価格が高くなるという問題がある。
【００５８】
特開平９−９８２１３号公報に記載されている従来例において、筐体内部に停電用電源（二次電池）を有する場合も、筐体が大きくなるという問題があるとともに、価格が高いという問題がある。
【００５９】
本発明は、マルチファンクジョン端末において、筐体が大きくならず、また、価格が高くないマルチファンクション端末を提供することを目的とするものである。
【００６０】
本発明は、複数の動作モードを有するマルチファンクション端末において、上記マルチファンクション端末へ電力を供給し、上記マルチファンクション端末に設けられている本体電源と、上記マルチファンクション端末の外から、電力の供給を受けるためのインタフェース手段と、上記インタフェース手段を経由して電力の供給を受けていることを検出する端末外電力供給検出手段と、上記本体電源から供給される電力と、上記インタフェース手段を介して上記マルチファンクション端末の外から供給される電力とを切換える電力切換手段と、公衆回線に発信する発信制御手段と、上記端末外電力供給検出手段が、上記インタフェース手段を介して上記マルチファンクション端末の外から供給されている電力を検出し、上記本体電源から供給されている電力を検出していない場合、上記インタフェース手段を介して上記マルチファンクション端末の外から電力を供給するように、上記電力切換手段を制御する制御手段とを有するマルチファンクション端末である。
【００６１】
本発明によれば、ＰＣ等のＡＣ電源やバッテリを有する外部端末からの電力の供給に基づいて、発呼処理するので、停電時においても、停電用の特別な回路や二次電池を自ら実装する必要がなく、したがって、安価で小型のマルチファンクション端末を提供することができるという効果を奏する。
【実施例３】
【００６２】
図５は、本発明の実施例３であるマルチファンクション端末１０２のシステム構成を示す図である。
【００６３】
相手端末１００は、本発明の通信端末と通信可能な相手端末である。公衆回線１０１は、アナログ電話回線またはＩＳＤＮ等の公衆回線である。マルチファンクション端末１０２は、電話機能を搭載し、公衆回線１０１を介して、相手端末１００と通信が可能であるマルチファンクション端末である。ＰＣ１０３は、ＵＳＢやＩＥＥＥ１３９４を介して、マルチファンクション端末１０２と接続し、電力を供給することができるパーソナルコンピュータである。
【００６４】
図６は、マルチファンクション端末１０２の内部構成を示す図である。
【００６５】
マルチファンクション端末１０２は、主制御部２０１と、ＲＯＭ２０２と、ＲＡＭ２０３と、通信処理部２０４と、アナログスイッチ部２０５と、ハンドセット２０６と、スピーカ２０７と、音源部２０８と、ＵＳＢｉ／ｆ２０９と、切換部２１０と、本体電源２１１と、キー入力部２１２と、フック検出部２１３と、表示部２１４と、記録部２１５と、読取部２１６と、原稿検出部２１７と、モデム２１８と、アドレスおよびデータバス２１９と、電源ＯＦＦブロック２００とを有する。
【００６６】
主制御部２０１は、データバス２１９を介して、各部から信号を入力し、この入力した信号に応じて、データバス２１９に接続されている各構成要素を制御する。すなわち、主制御部２０１は、ＲＯＭ２０２に格納されている呼処理プログラムに従って、通話に伴う呼処理や、各種サービス機能に伴う処理を実行する。また、内部にＡ／Ｄコンバータを具備し、アナログ信号をモニタすることによって、各種信号の有無を検出することができる。
【００６７】
また、主制御部２０１のポートに、本体電源からの電力（Ｖｃｃ）と、ＰＣ１０３からの電力（Ｖｂｕｓ）信号とを入力し、定期的にポートの状態を検出し、Ｖｃｃで動作しているのか、Ｖｂｕｓで動作しているのかを確認する。
【００６８】
ＲＯＭ２０２は、通信処理部２０４を制御することによる発呼処理、ＰＣ１０３からの電力の給電を制御する給電制御、モデム２１８を制御してのデータモデムによるメールの送受信、ファクシミリモデムとしてのＦＡＸ送受信、ナンバーディスプレーの表示、音声合成信号の出力を実現するプログラムを格納している。また、ＲＯＭ２０２は、データの書込み、消去が可能なＥ２ＰＲＯＭ、またはフラッシュＲＯＭで構成される。
【００６９】
ＲＡＭ２０３は、主制御部２０１が呼処理を含む各処理を実行するときに使用するメモリである。ここには、ＲＯＭ２０２とは異なり、一時的なデータを記憶する。ＲＡＭ２０３は、電池等でバックアップされ、作成した文字メッセージ、受信した文字メッセージ、各種サービス機能の設定内容、電話帳に登録した内容を記憶する。また、不揮発性のメモリとして、Ｅ２ＰＲＯＭ等で構成される。
【００７０】
通信処理部２０４は、公衆回線１０１を収容するインタフェースであり、アナログ回線の場合、局交換機の電話回線に接続され、ダイオードによる全波整流回路によって構成され、回線電圧の極性を一致させる極性一致回路、回路局交換機の加入者線に接続され、局交換機からの呼出信号を検出するリンガー検出回路、ハンドセット２０６またはオフフックキーの押下によるオフフック操作が行われると、回線ループを形成するとともに、局に対してダイヤルパルス等の選択信号を送出するリレー回路、２線−４線変換を行うトランス回路で構成されている。
【００７１】
本実施例において、アナログ回線について記載しているが、ＩＳＤＮ等のデジタル回線によって構成するようにしてもよい。
【００７２】
アナログスイッチ部２０５は、主制御部２０１からの制御によって、モデム２１８からの信号や、音源部２０８、ハンドセット２０６、スピーカ２０７等のアナログ入出力信号の通信処理部２０４への入出力の切り替えを行う。また、内部に、アッテネータを有し、アナログ信号のレベルを変換することができる。
【００７３】
ハンドセット２０６は、音声を入出力する。スピーカ２０７は、着信音や記憶した音声データの出力、ＦＡＸ通信時のモニタを行う。
【００７４】
音源部２０８は、保留音や着信メロディの音源であり、内部に音源データを記憶し、主制御部２０１の制御によって、アナログ信号を出力し、また、ＤＴ、ＢＴ、ＲＢＴ等のコールプログレストーンを出力する音源でもある。
【００７５】
ＵＳＢｉ／ｆ２０９は、ケーブルを介して、ＰＣ１０３と接続され、ＰＣ１０３からの給電を受け、ＰＣ１０３からの電力（Ｖｂｕｓ）を、切換部２１０に供給する。ＰＣ１０３とのデータ送受信を行うためのドライバＩＣとトランスとによって構成されている。
【００７６】
図７は、切換部２１０を具体的に示すブロック図である。
【００７７】
切換部２１０は、スイッチ３０１と、パワー検知部３０２とを有する。
【００７８】
スイッチ３０１は、本体電源２１１からの電力と、ＵＳＢｉ／ｆ２０９からの電力とを切り替え、本体電源２１１からの電力（Ｖｃｃ）の供給が停止した場合、所定ブロックに、ＵＳＢｉ／ｆ２０９からの電力（Ｖｂｕｓ）を切り替えて供給するスイッチである。
【００７９】
パワー検知部３０２は、ＵＳＢｉ／ｆ２０９と本体電源２１１とから、電力が供給されているかどうかを判断する検知部である。
【００８０】
図８は、切換部２１０を具体的に示す回路図である。
【００８１】
パワー検知部３０２は、図８に示すように、Ｖｂｕｓを電源とするゲートＩＣ１と、プルダウン抵抗（Ｒ１、Ｒ２）と、トランジスタＴ１とによって構成されている。ＳＷ３０１は、Ｖｂｕｓを用いて動作可能なリレーである。
【００８２】
本体電源２１１は、ＡＣを用いたスイッチング電源や、２次電池を用いたバッテリによって構成され、切換部２１０と電源ＯＦＦブロック２００とに、電力（Ｖｃｃ）を供給する。電源ＯＦＦブロック２００は、表示部２１４と、記録部２１５と、読取部２１６と、原稿検出部２１７と、モデム２１８とによって構成されている。
【００８３】
キー入力部２１２は、ダイヤル番号やＵＲＬ等を、０〜９および＊、＃および上記キーを利用し、アルファベットや記号等を入力するダイヤルキー、ファクシミリの送受信を制御する送信キー、受信キー、回線のＯＮ／ＯＦＦを制御するオフフックキー、留守番電話を設定する留守番電話キー、着信を鳴動させたくないときに押下する「おやすみ」キーや、機能設定を行う機能キーや、機能キーの押下によって機能の選択モードに入ったときに、選択とセットとするためのセットキー等の選択キーによって構成されている。
【００８４】
フック検出部２１３は、特に、ハンドセットのＯＮ／ＯＦＦを検出し、回線ＯＮ／ＯＦＦを制御する。また、フックキーの検出を行い、通話の開始と、切断のオンフック／オフフック状態とを検出する。
【００８５】
表示部２１４は、時刻の表示や通信中の回線状態、エラー等の状態を表示し、主に、液晶等で構成され、キー入力部２１２でキー入力された文字メッセージや、受信した文字メッセージをも表示し、電話機の各種サービス機能の設定内容も表示する。
【００８６】
表示部２１４の内部構造は、表示するための液晶パネル（ＴＦＴ、ＤＳＴＮ）、カラー表示を可能にするバックライト、インバータによって構成されている。表示部２１４は、主制御部の設定によって、所定時間キー入力等が行われない場合、インバータやドライバを制御し、表示を停止する。
【００８７】
記録部２１５は、感熱型、熱転写型プリンタ、レーザビームプリンタ、インクジェットプリンタ等の周知の印字手段を備えた記録部であり、ＭＨ、ＭＲ、ＭＭＲ符号化されたデジタルデータを複合化し、この復号化したデータを、印字データとして印字する。
【００８８】
読取部２１６は、ＣＣＤまたは密着型センサアレイ等の周知の原稿読取手段を備え、読取手段で読み取ったアナログデータを、デジタルデータに変換し、この変換されたデジタルデータを、ＭＨ、ＭＲ、ＭＭＲ等の周知の符号化方法によって符号化し、出力する。
【００８９】
原稿検出部２１７は、読取部２１６上の送信原稿の有無を検出し、この検出結果を主制御部２０１に通知する。電源ＯＦＦブロック２００が、オペレーションパネルとして１つのパーツとして構成される。
【００９０】
モデム２１８は、デジタル信号処理プロセッサであり、機能的には、メールの送受信を行うデータモデム機能や、Ｇ３ＦＡＸによるファクシミリの送受信を行うファクシミリモデムの機能を、マイクロ主制御部２０１の制御によって実現する。
【００９１】
アドレスおよびデータバス２１９は、主制御部２０１が各部の設定を行うために使用する。
【００９２】
次に、ＵＳＢｉ／ｆ２０９と本体電源２１１とからの電力を切り替える場合における動作について説明する。
【００９３】
［本体電源２１１がＯＮで、ＰＣ１０３が接続なしの場合］
ＵＳＢｉ／ｆ２０９にＰＣ１０３が接続されていない場合、Ｖｂｕｓへの電力供給が行われない。本体電源２１１からのＶｃｃのみが、切換部２１０に供給される。
【００９４】
ＩＣ１へのＶｃｃ入力は、Ｖｂｕｓがない場合、トランスミッションゲート等によってゲートすることができる。Ｖｂｕｓの供給がない場合、リレーＳＷ１は、励磁されないので、Ｖｃｃが、Ｖｓｅｌに供給される。
【００９５】
［本体電源２１１がＯＮで、ＰＣ１０３が接続ありの場合］
ＵＳＢｉ／ｆ２０９にＰＣ１０３接続され、本体電源２１１からもＶｃｃが供給されている場合、ＶｂｕｓとＶｃｃとが、切換部２１０に供給される。
【００９６】
ＩＣ１にＶｂｕｓが供給されると、ゲートＩＣ１が有効になる。Ｖｂｕｓが“Ｈ”であり、ＶＣＣが“Ｈ”である場合、ゲートＩＣ１は、“Ｌ”を出力する。
【００９７】
ゲートＩＣ１が“Ｌ”を出力すると、トランジスタＴ１は、ＯＮしないので、リレーＳＷ１は、Ｖｃｃを、Ｖｓｅｌに出力する。
【００９８】
本回路によって、本体電源２１１から電力Ｖｃｃを出力している間は、ＶｓｅｌにＶｃｃを出力する。
【００９９】
［本体電源２１１がＯＦＦで、ＰＣ１０３が接続ありの場合］
ＵＳＢｉ／ｆ２０９にＰＣ１０３が接続され、本体電源２１１からＶｃｃが供給されない場合、Ｖｂｕｓのみが切換部２１０に供給される。
【０１００】
ゲートＩＣ１にＶｂｕｓが供給されると、ゲートが有効になる。Ｖｃｃが供給されない場合、ゲートＩＣ１には、Ｖｂｕｓ“Ｈ”、プルダウン抵抗Ｒ２によって、Ｖｃｃ“Ｌ”が入力される。本入力によって、トランジスタＴ１のベースに“Ｈ”が入力され、トランジスタＴ１がＯＮする。トランジスタＴ１がＯＮすることによって、スイッチＳＷ３０１が励磁され、スイッチＳＷ３０１が切換わり、ＶｂｕｓがＶｓｅｌに出力される。
【０１０１】
図９は、マルチファンクション端末１０２におけるＵＳＢバスパワー電力のみを用いて発呼する場合の動作を示すフローチャートである。
【０１０２】
主制御部２０１は、定期的に所定のポートをモニタし、現在供給されている電力が、ＵＳＢｉ／ｆ２０９から供給されていることを検出する。主制御部２０１は、ＵＳＢｉ／ｆ２０９からＶｂｕｓが供給されていることを検出すると（Ｓ１０１）、Ｖｂｕｓ以外に本体電源２１１からのＶｃｃも供給されていることを検出する（Ｓ１０２）。Ｖｃｃも供給されていれば、主制御部２０１は、通常の処理を継続する。
【０１０３】
主制御部２０１は、本体電源２１１からのＶｃｃが供給されていないことを検出すると（Ｓ１０２）、ＵＳＢｉ／ｆ２０９からのＶｂｕｓによって動作していると判断し、ＵＳＢｉ／ｆ２０９を介して、ホストＰＣ１０３とのエニュメレーションが可能であるブロックのみを動作させる。
【０１０４】
さらに、Ｖｃｃ電源で動作するブロックからの割り込みや、検出信号をマスクする処理を実行する。また、入力信号をマスクするだけでなく、主制御部２０１内に設けられている、表示部２１４を制御する表示部コントローラ、読取部２１６からのアナログ信号をアナログ／デジタル変換するＡ／Ｄコンバータ部、記録部２１５を制御するＰＷＭ部等への内部クロックの供給の停止や、リセットの処理等の初期化を行う（Ｓ１０３）。
【０１０５】
さらに、通信処理部２０４やスイッチ部２０５、音源部２０８、キー入力部２１２、フック検出部２１３等の周辺ブロックに、電力を消費しないようにリセット処理する。
【０１０６】
上記初期化処理が終了すると、ＰＣ１０３から供給される最小電力で、システムを動作させ（Ｓ１０４）、発呼処理に必要な電力を、ＰＣ１０３に要求する処理を実行する（Ｓ１０５）。およそ回線発呼するには、２００〜３００ｍＡの電流があれば、十分動作可能である。
【０１０７】
ＰＣ１０３への電力要求後に、所望の電力供給を許可されないことを検出すると（Ｓ１０６）、最小電力での動作処理を継続し（Ｓ１１４）、処理時間が経過するかどうかを監視する（Ｓ１１５）。所定時間経過したことを検出すると、バスパワーを監視する処理を再度開始する。
【０１０８】
主制御部２０１が所望する電力を供給可能であることを検出すると（Ｓ１０６）、主制御部２０１は、上記処理を停止していた通信処理部２０４やスイッチ部２０５、音源部２０８、キー入力部２１２、フック検出部２１３等の周辺ブロックに、動作処理を受け付ける処理を行い、ＵＳＢｉ／ｆ２０９からの電力供給を受け、発呼処理が可能な状態になる（Ｓ１０７）。
【０１０９】
主制御部２０１は、ＵＳＢｉ／ｆ２０９を経由した電力供給によって動作していると判断すると、再度公衆回線１０１に、自分の接続されている回線がどの選択信号を受け付けるかを、確認する（Ｓ１０８）。確認後に、内蔵するＡ／Ｄコンバータの設定を有効にし、回線からのダイヤルトーン信号を検出処理する。主制御部２０１は、通信処理部２０４内のリレーを制御し、直流ループを閉結する。その後に、音源部２０８とスイッチ部２０５とを制御し、通信処理部２０５を介してＤＴＭＦ信号を回線に出力する（Ｓ１０９）。
【０１１０】
ＤＴＭＦ信号送出後に、通信処理部２０４からのダイヤルトーン信号を検出し、信号が停止した場合（Ｓ１１０）、ＤＴＭＦ信号による発呼が可能であると判断し、ＤＴＭＦによる発呼を設定する（Ｓ１１１）。ＤＴＭＦ送出に、ダイヤルトーンが停止しない場合、主制御部２０１は、発呼を行う選択信号をＤＰに設定する（Ｓ１１６）。
【０１１１】
主制御部２０１は、フック検出部２１３の状態によって、発呼処理が行われたことを検出すると（Ｓ１１２）、入力されたキー入力部２１２で押下されたダイヤル信号に基づいて、設定された選択信号を用い、発呼処理を行う（Ｓ１１３）。Ｓ１１２においてＮＯの場合、ＥＮＤへ進む。
【０１１２】
本実施例は、アナログ回線について、通信処理部２０４を説明したが、ＩＳＤＮのＤＳＵ（Ｄｉｇｉｔａｌ  Ｓｅｒｖｉｃｅ  Ｕｎｉｔ）、ＶＯＩＰによるインターネット接続を可能にするネットワークコントローラやＡＤＳＬを使用するようにしてもよい。
【図面の簡単な説明】
【０１１３】
【図１】本発明の実施例１であるファクシミリ装置ＦＳ１のブロック図である。
【図２】上記実施例の動作を示すフローチャートである。
【図３】上記実施例の動作を示すフローチャートである。
【図４】上記実施例の動作を示すフローチャートである。
【図５】本発明の実施例３であるマルチファンクション端末１０２のシステム構成を示す図である。
【図６】マルチファンクション端末１０２の内部構成を示す図である。
【図７】切換部２１０を具体的に示すブロック図である。
【図８】切換部２１０を具体的に示す回路図である。
【図９】マルチファンクション端末１０２におけるＵＳＢバスパワー電力のみを用いて発呼する場合の動作を示すフローチャートである。
【符号の説明】
【０１１４】
ＦＳ１…マルチファンクション装置としてのファクシミリ装置、
２８…ＵＳＢインタフェース、
３６…ＰＣ、
１００…相手端末、
１０１…ネットワーク、
１０２…マルチファンクション端末、
１０３…ＰＣ、
２００…電源ＯＦＦブロック、
２０１…主制御部、
２０９…ＵＳＢｉ／ｆ、
２１０…切換部、
２１１…本体電源。
【図１】
2005277509.tif 000003
【図２】
2005277509.tif 000004
【図３】
2005277509.tif 000005
【図４】
2005277509.tif 000006
【図５】
2005277509.tif 000007
【図６】
2005277509.tif 000008
【図７】
2005277509.tif 000009
【図８】
2005277509.tif 000010
【図９】
2005277509.tif 000011